(57)【要約】【課題】ユーザにおける多様な使用方法に十分に対応することで、使い勝手を向上させた複合装置を提供する。【解決手段】複合装置１は、本体に設けられている外部接続端子１１を入力端子、または出力端子のどちらかに切り換えられる。外部接続端子１１を出力端子に切り換えている場合であって、表示部５においてＤＶＤ処理部４で再生している番組の映像を表示しているときには、ＤＶＤから読み取ったディジタル音声信号、および２ｃｈの音声信号（アナログ）を外部接続端子から出力する。したがって、ユーザは記録媒体に録画されている番組を、外部機器として接続したサラウンドシステム、例えば５．１ｃｈのサラウンドシステム、を使用して視聴することもできれば、２ｃｈのステレオ音声で視聴することもできる。【選択図】図１
2007288678.tif 000002
【特許請求の範囲】
【請求項１】
受信部で受信しているテレビ放送信号から選局されているチャンネルで放送されている番組の映像信号および音声信号を抽出する選局手段と、
本体にセットされている記録媒体にディジタル録画されている番組の映像信号および音声信号を生成し、出力する再生手段と、
外部接続端子に接続された外部機器から入力された映像信号、および音声信号の処理する外部入力処理手段、
前記外部端子に接続された外部機器に対して映像信号、および音声信号を出力する外部出力処理手段と、
前記外部接続端子を、前記外部入力処理手段に対する外部機器からの映像信号、および音声信号の入力端子とするか、前記外部出力処理手段に対する外部機器への映像信号、および音声信号の出力端子とするか、を切り換える切換手段と、
前記選局手段が抽出している番組の映像信号に基づく映像、前記再生手段が生成している番組の映像信号に基づく映像、または前記外部入力処理手段で処理された映像信号に基づく映像のいずれか１つを、選択的に表示する表示手段と、を備えた複合装置において、
前記外部出力処理手段は、
前記切換手段により前記外部接続端子が出力端子に切り換えられている場合、
前記表示手段において前記選局手段による番組の映像を表示しているときには、前記選局手段による番組のコンポジット信号、および２ｃｈの音声信号を前記外部接続端子から出力し、
前記表示手段において前記再生手段による番組の映像を表示しているときには、前記再生手段による番組のディジタル音声信号、および２ｃｈの音声信号を、前記外部接続端子から出力する手段であり、
前記外部入力処理手段は、前記外部接続端子に接続されている外部機器から入力されている、コンポジット信号、および２ｃｈの音声信号の入力を受け付け、処理する手段であり、
さらに、前記表示手段において前記再生手段による番組の映像を表示しているとき、前記外部出力処理手段が、前記再生手段による番組のディジタル音声信号、および２ｃｈの音声信号を前記外部接続端子から出力するか、前記再生手段による番組のコンポジット信号、および２ｃｈの音声信号を前記外部接続端子から出力するか、を設定する設定手段、を備えた複合装置。
【請求項２】
受信部で受信しているテレビ放送信号から選局されているチャンネルで放送されている番組の映像信号および音声信号を抽出する選局手段と、
本体にセットされている記録媒体にディジタル録画されている番組の映像信号および音声信号を生成し、出力する再生手段と、
外部接続端子に接続された外部機器から入力された映像信号、および音声信号の処理する外部入力処理手段、
前記外部端子に接続された外部機器に対して映像信号、および音声信号を出力する外部出力処理手段と、
前記外部接続端子を、前記外部入力処理手段に対する外部機器からの映像信号、および音声信号の入力端子とするか、前記外部出力処理手段に対する外部機器への映像信号、および音声信号の出力端子とするか、を切り換える切換手段と、
前記選局手段が抽出している番組の映像信号に基づく映像、前記再生手段が生成している番組の映像信号に基づく映像、または前記外部入力処理手段で処理された映像信号に基づく映像のいずれか１つを、選択的に表示する表示手段と、を備えた複合装置において、
前記外部出力処理手段は、
前記切換手段により前記外部接続端子が出力端子に切り換えられている場合、
前記表示手段において前記選局手段による番組の映像を表示しているときには、前記選局手段による番組のコンポジット信号、および２ｃｈの音声信号を前記外部接続端子から出力し、
前記表示手段において前記再生手段による番組の映像を表示しているときには、前記再生手段による番組のディジタル音声信号、および２ｃｈの音声信号を、前記外部接続端子から出力する手段である、複合装置。
【請求項３】
前記外部入力処理手段は、前記外部接続端子に接続されている外部機器から入力されている、コンポジット信号、および２ｃｈの音声信号の入力を受け付け、処理する手段である、請求項２に記載の複合装置。
【請求項４】
前記表示手段において前記再生手段による番組の映像を表示しているとき、前記外部出力処理手段が、前記再生手段による番組のディジタル音声信号、および２ｃｈの音声信号を前記外部接続端子から出力するか、前記再生手段による番組のコンポジット信号、および２ｃｈの音声信号を前記外部接続端子から出力するか、を設定する設定手段、を備えた請求項２、または３に記載の複合装置。
【発明の詳細な説明】
【技術分野】
【０００１】
この発明は、テレビジョン装置と、ＤＶＤ装置と、を１つの筐体に収納した複合装置に関する。
【背景技術】
【０００２】
従来、テレビジョン装置と、ＤＶＤ装置と、を１つの筐体に収納した複合装置が実用化されている。一般的な複合装置における外部接続端子は、映像にかかるコンポジット信号、および２ｃｈの音声信号（ステレオ、またはモノラル）が接続される３つの端子を１組としている。この種の複合装置では、装置本体に設ける外部接続端子の組数を減らすことによる、本体の小型化が検討されている。ここで本体に設ける外部接続端子を、入力端子１組とした場合、外部機器から入力した番組については視聴できるが、本体で映像を表示している番組を外部機器で録画することができない。一方、本体に設ける外部接続端子を、出力端子１組とした場合、本体で映像を表示している番組については外部機器で録画できるが、外部機器から番組を入力した番組を視聴することができない。そこで、外部接続端子を、入力端子として使用する場合と、出力端子として使用する場合と、で切り換える提案がなされている（特許文献１〜３参照）。外部接続端子を、入力端子として使用するか、出力端子として使用するかの切り換えは、ユーザの選択等で行える。
【特許文献１】特開２００４−８０６５４号公報
【特許文献２】特開２００４−４８４３１号公報
【特許文献３】特開２００１−８６４１６号公報
【発明の開示】
【発明が解決しようとする課題】
【０００３】
しかしながら、特許文献１〜３等で提案されている技術は、外部接続端子を入力端子として使用するか、出力端子として使用するか、が切り換えられるだけであった。このため、ユーザは、複合装置でＤＶＤを再生する場合に、この複合装置の表示部に映像を表示し、音声を本体の外部接続端子に接続したサラウンドシステム（外部機器）を利用して番組を視聴することができない。また、外部接続端子を出力端子として使用する場合に、出力端子をディジタル音声信号、および２ｃｈの音声信号を出力する端子とすることも考えられるが、この場合、ユーザは、本体の外部接続端子に接続した外部機器において、受信しているテレビ放送等にかかる番組の映像を録画することができない。そして、ユーザは、その時々に応じて、外部接続端子に接続する外部機器を変更することが想定される。したがって、従来の技術では、ユーザにおける多様な使用方法に十分に対応できておらず、使い勝手がよくないという問題があった。
【０００４】
この発明の目的は、ユーザにおける多様な使用方法に十分に対応することで、使い勝手を向上させた複合装置を提供することにある。
【課題を解決するための手段】
【０００５】
この発明の複合装置は、上記課題を解決するために以下の構成を備えている。
【０００６】
（１）受信部で受信しているテレビ放送信号から選局されているチャンネルで放送されている番組の映像信号および音声信号を抽出する選局手段と、
本体にセットされている記録媒体にディジタル録画されている番組の映像信号および音声信号を生成し、出力する再生手段と、
外部接続端子に接続された外部機器から入力された映像信号、および音声信号の処理する外部入力処理手段、
前記外部端子に接続された外部機器に対して映像信号、および音声信号を出力する外部出力処理手段と、
前記外部接続端子を、前記外部入力処理手段に対する外部機器からの映像信号、および音声信号の入力端子とするか、前記外部出力処理手段に対する外部機器への映像信号、および音声信号の出力端子とするか、を切り換える切換手段と、
前記選局手段が抽出している番組の映像信号に基づく映像、前記再生手段が生成している番組の映像信号に基づく映像、または前記外部入力処理手段で処理された映像信号に基づく映像のいずれか１つを、選択的に表示する表示手段と、を備えた複合装置において、
前記外部出力処理手段は、
前記切換手段により前記外部接続端子が出力端子に切り換えられている場合、
前記表示手段において前記選局手段による番組の映像を表示しているときには、前記選局手段による番組のコンポジット信号、および２ｃｈの音声信号を前記外部接続端子から出力し、
前記表示手段において前記再生手段による番組の映像を表示しているときには、前記再生手段による番組のディジタル音声信号、および２ｃｈの音声信号を、前記外部接続端子から出力する手段である。
【０００７】
この構成では、本体に設けられている外部接続端子が、切換手段により入力端子、または出力端子のどちらかに切り換えられる。外部接続端子を出力端子に切り換えた場合であって、表示手段において、記録媒体にディジタル録画されている番組の映像が表示されているときには、この記録媒体から読み取ったディジタル音声信号、および２ｃｈの音声信号（ステレオ、またはモノラルのアナログ信号）を外部接続端子から出力する。このため、ユーザは記録媒体に録画されている番組を、外部機器として接続したサラウンドシステム、例えば５．１ｃｈのサラウンドシステム、を使用して視聴することもできれば、２ｃｈのステレオ音声で視聴することもできる。一方、外部接続端子を出力端子に切り換えている場合であって、表示手段において、受信しているテレビ放送にかかる番組の映像が表示されているときには、この番組の映像にかかるコンポジット信号、および２ｃｈの音声信号を外部接続端子から出力する。このため、本体の外部接続端子に接続した外部機器において、受信しているテレビ放送にかかる番組を録画したり、２ｃｈのステレオ音声で視聴することもできる。
【０００８】
したがって、ユーザにおける多様な使用方法に十分に対応することができ、使い勝手の向上が図れる。
【０００９】
（２）前記外部入力処理手段は、前記外部接続端子に接続されている外部機器から入力されている、コンポジット信号、および２ｃｈの音声信号の入力を受け付け、処理する手段である。
【００１０】
この構成では、本体に設けられている外部接続端子を、切換手段により入力端子に切り換えることで、外部機器から入力している番組の視聴や、外部機器から入力している番組の記録媒体への録画が行える。
【００１１】
（３）前記表示手段において前記再生手段による番組の映像を表示しているとき、前記外部出力処理手段が、前記再生手段による番組のディジタル音声信号、および２ｃｈの音声信号を前記外部接続端子から出力するか、前記再生手段による番組のコンポジット信号、および２ｃｈの音声信号を前記外部接続端子から出力するか、を設定する設定手段、を備えている。
【００１２】
この構成では、外部接続端子を出力端子に切り換えている場合であって、表示手段において、記録媒体にディジタル録画されている番組の映像が表示されているときに、
（ａ）外部接続端子において、記録媒体から読み取ったディジタル音声信号、および２ｃｈの音声信号（アナログ）を出力するか、
（ｂ）外部接続端子において、記録媒体から読み取った映像にかかるコンポジット信号、および２ｃｈの音声信号（アナログ）を出力するか、
の設定が設定手段により行える。したがって、ユーザにおける多様な使用方法に十分に対応することができ、使い勝手の一層の向上が図れる。
【発明の効果】
【００１３】
この発明によれば、ユーザにおける多様な使用方法に十分に対応することができ、使い勝手の向上が図れる。
【発明を実施するための最良の形態】
【００１４】
以下、この発明の実施形態である複合装置について説明する。
【００１５】
図１は、この発明の実施形態である複合装置の主要部の構成を示す図である。この実施形態の複合装置１は、本体の動作を統括的に制御する制御部２と、テレビ放送信号を受信し、選局されているチャンネルで放送されている番組の映像信号および音声信号を抽出するチューナ３と、ＤＶＤに対する番組の録画や、ＤＶＤに録画されている番組の再生を行うＤＶＤ処理部４と、映像を表示する表示部５と、表示部５に対して映像信号を与える映像信号処理部６と、音声を放出するスピーカ７と、スピーカ７に対して音声信号を与える音声信号処理部８と、外部機器から入力された映像信号や音声信号を処理する外部入力信号処理部９と、外部機器へ出力する映像信号や音声信号を処理する外部出力信号処理部１０と、外部接続端子１１を入力端子として使用するか、出力端子として使用するかを切り換える切換部１２と、装置本体に対する入力操作を受け付ける操作部１３と、を備えている。チューナ３は、公知のテレビ受像機に用いられている構成であり、操作部１３において選局されているチャンネルのテレビ放送信号を抽出する構成である。また、ＤＶＤ処理部４は、公知のＤＶＤ装置と略同じ構成であり、ＤＶＤに対する番組等にかかる録画データの記録や、録画されている番組等の録画データの読取を行う。チューナ３およびＤＶＤ処理部４については、上述したように公知の構成であるので、ここでは詳細な説明を省略する。表示部５は、例えば液晶の表示器等を有し、映像信号処理部６から与えられる映像信号に基づく映像を表示する。スピーカ７は、音声信号処理部８から与えられる音声信号に基づく音声を放音する。
【００１６】
外部入力信号処理部９は、外部接続端子１１に接続されている外部機器から入力されている、映像信号や音声信号を処理し、映像信号処理部６、および音声信号処理部８に与える。外部出力信号処理部１０は、映像信号処理部６、および音声信号処理部８から与えられた映像信号（コンポジット信号）や、音声信号を外部接続端子１１から出力する。また、映像信号処理部６から与えられる映像信号に代えて、ＤＶＤ処理部４から与えられるディジタル音声信号を出力することもできる。すなわち、外部出力信号処理部１０は、映像信号処理部６から与えられる映像信号を出力するか、ＤＶＤ処理部４から与えられるディジタル音声信号を出力するかの切り換えが行える構成である。
【００１７】
切換部１２は、外部接続端子１１を、外部入力信号処理部９、または外部出力信号処理部１０の一方に接続する切り換えを行う。切換部１２は、接点の切り換えにより接続先を切り換える構成であってもよいし、トランジスタ等を用いて接続先を電気的に切り換える構成であってもよいし、これら以外の構成であってもよい。切換部１２の状態は、制御部２により制御される。外部接続端子１１は、３つの端子１１ａ、１１ｂ、１１ｃを１組とする構成である。映像信号処理部６は、チューナ３、ＤＶＤ処理部４、または外部入力信号処理部１０の何れかを選択し、選択した処理部から入力されている映像信号を表示部６、および外部出力信号処理部１０に与える。音声信号処理部８も、チューナ３、ＤＶＤ処理部４、または外部入力信号処理部１０の何れかを選択し、選択した処理部から入力されている音声信号をスピーカ７、および外部出力信号処理部１０に与える。映像信号処理部６および音声信号処理部８は、制御部２からの指示にしたがって、選択する処理部を決定する。制御部２は、映像信号処理部６および音声信号処理部８に同じ処理部を選択させる。さらに、ＤＶＤ処理部４は、ＤＶＤから読み取ったディジタル音声信号を外部出力信号処理部１０に入力する構成である。
【００１８】
外部接続端子１１を入力端子として使用する場合、ユーザは、外部機器から出力されているコンポジット信号のラインを外部接続端子１１ａに接続し、外部機器から出力されている２ｃｈの音声信号のラインを外部接続端子１１ｂ、１１ｃに接続する。すなわち、外部入力信号処理部９には、外部接続端子１１ａを介して映像にかかるコンポジット信号が入力され、外部接続端子１１ｂ、１１ｃを介して２ｃｈの音声信号が入力される。一方、外部接続端子１１を出力端子として使用する場合、外部出力信号処理部１０は、音声信号処理部８から入力されている２ｃｈの音声信号を、接続端子１１ｂ、１１ｃに出力する。このとき、外部出力信号処理部１０は、映像信号入力部８から入力されている映像信号、またはＤＶＤ処理部４から入力されているディジタル音声信号の一方を接続端子１１ａに出力する。接続端子１１ａに出力する信号を、映像信号とするか、ディジタル音声信号とするかの切り換えは、ユーザが選択的に行える。
【００１９】
なお、操作部１３には、装置本体に対して入力操作を行う操作キーや、図示していないリモコン装置から送信されてきた制御コードを受信するリモコン受信部を有している。
【００２０】
次に、この発明の実施形態である複合装置１の動作について説明する。まず、外部接続端子１１が入力端子として使用する選択がなされている場合について説明する。外部接続端子１１を入力端子として使用するか、出力端子として使用するかの切換は、ユーザが選択的に行える。図２は、外部接続端子を入力端子として使用する選択がなされている場合の動作を示すフローチャートである。複合装置１は、チューナ３、ＤＶＤ処理部４、または外部入力信号処理部９のいずれの処理部が選択されているかを判定する（ｓ１）。ユーザは、操作部１３に設けられている操作キーや、リモコン装置を操作することで、処理部を選択することができる。すなわち、ｓ１で判定される処理部は、ユーザが選択した処理部である。複合装置１は、映像信号処理部６、および音声信号処理部８に対して、ｓ１で判定した処理部の選択を指示する（ｓ２）。これにより、映像信号処理部６は、指示された処理部から入力されている映像信号を表示部５に与える。また、音声信号処理部８は指示された処理部から入力されている音声信号をスピーカ７に与える。したがって、ユーザは、チューナ３を選択すればテレビ放送にかかる番組を視聴することができ、またＤＶＤ処理部４を選択すればＤＶＤ処理部４で再生されている番組を視聴することができ、さらに、外部入力信号処理部９を選択すれば外部接続端子１１に接続されている外部機器から入力されている番組を視聴することができる。
【００２１】
複合装置１は、本体に対する入力の有無を監視し（ｓ３）、本体に対する入力があると、現在選択されている処理部から、別の処理部への変更にかかる入力であるかどうかを判定する（ｓ４）。複合装置１は、ｓ４で処理部の変更にかかる入力であると判定すると、ｓ１に戻り、上述した処理を繰り返す。一方、ｓ４で処理部の変更にかかる入力でないと判定すると、今回の入力に応じた処理（その他の処理）を実行する（ｓ５）。ｓ５で実行する処理は、例えばボリュームのアップダウンや、チャンネルの切り換えにかかる処理である。
【００２２】
なお、図２に示す処理は、本体の電源がオフされた場合や、外部接続端子１１が出力端子として使用する選択がなされた場合等に終了する。
【００２３】
次に、外部接続端子１１が出力端子として使用する選択がなされている場合について説明する。図３は、外部接続端子を出力端子として使用する選択がなされている場合の動作を示すフローチャートである。複合装置１は、チューナ３、またはＤＶＤ処理部４のいずれの処理部が選択されているかを判定する（ｓ１１）。ｓ１１の判定において、外部入力信号処理部９が含まれていないのは、外部接続端子１１を出力端子として使用するからである。複合装置１は、映像信号処理部６、および音声信号処理部８に対して、ｓ１１で判定した処理部の選択を指示する（ｓ１２）。これにより、映像信号処理部６は、指示された処理部から入力されている映像信号を表示部５に与える。また、音声信号処理部８は指示された処理部から入力されている音声信号をスピーカ７に与える。
【００２４】
次に、複合装置１は、選択されている処理部がＤＶＤ処理部４であるかどうかを判定する（ｓ１３）。複合装置１は、ｓ１３でＤＶＤ処理部４ではなく、チューナ３であると判定すると、外部出力信号処理部１０に対して接続端子１１ａにチューナ３で受信している番組の映像信号にかかるコンポジット信号の出力、および接続端子１１ｂ、１１ｃにこの番組の２ｃｈの音声信号の出力を指示する（ｓ１４）。これにより、外部出力信号処理部１０は、外部接続端子１１の接続端子１１ａにチューナ３で受信している番組の映像信号にかかるコンポジット信号を出力し、接続端子１１ｂ、１１ｃにチューナ３で受信している番組の２ｃｈの音声信号を出力する。したがって、ユーザは、外部接続端子１１にＤＶＤ装置等の記録装置を接続しておけば、この記録装置で、複合装置１のチューナ３で受信している番組を録画することができる。
【００２５】
また、複合装置１は、ｓ１３で選択されている処理部がＤＶＤ処理部４であると判定すると、ユーザにより予め設定されている接続端子１１ａの出力信号がコンポジット信号であるか、ディジタル音声信号であるかを判定する（ｓ１５）。複合装置１は、ｓ１５でコンポジット信号であると判定すると、上述したｓ１４にかかる処理を行う。これにより、外部出力信号処理部１０は、外部接続端子１１の接続端子１１ａにＤＶＤ処理部４で再生している番組の映像信号にかかるコンポジット信号を出力し、接続端子１１ｂ、１１ｃにＤＶＤ処理部４で再生している番組の２ｃｈの音声信号を出力する。したがって、ユーザは、外部接続端子１１にＤＶＤ装置等の記録装置を接続しておけば、この記録装置で、複合装置１のＤＶＤ処理部４で再生している番組を録画することができる。また、このとき、接続端子１１ｂ、１１ｃにスピーカを接続すれば、複合装置１に外部接続したスピーカから放音される音声で、ＤＶＤ処理部４で再生している番組を視聴することができる。
【００２６】
また、複合装置１は、ｓ１５でディジタル音声信号であると判定すると、外部出力信号処理部１０に対して接続端子１１ａにＤＶＤ処理部４で再生している番組のディジタル音声信号の出力、および接続端子１１ｂ、１１ｃにこの番組の２ｃｈの音声信号の出力を指示する（ｓ１６）。これにより、外部出力信号処理部１０は、外部接続端子１１の接続端子１１ａにＤＶＤ処理部４で再生している番組のディジタル音声信号を出力し、接続端子１１ｂ、１１ｃにＤＶＤ処理部４で再生している番組の２ｃｈの音声信号を出力する。ここで、ＤＶＤ処理部４で再生している番組のディジタル音声信号とは、ＤＶＤ処理部４が再生しているＤＶＤに記録されている音声データの読取信号であり、ＤＶＤ処理部４で再生している番組の２ｃｈの音声信号とは、音声信号処理部８から入力されている音声信号である。
【００２７】
したがって、ユーザは、外部接続端子１１ａに５．１ｃｈのサラウンドシステム等を接続することで、ＤＶＤ処理部４で再生されている番組を、サラウンドシステムにより放音
される音声で視聴することができる。また、この場合も、接続端子１１ｂ、１１ｃにスピーカを接続すれば、複合装置１に外部接続したスピーカから放音される音声で、ＤＶＤ処理部４で再生している番組を視聴することができる。
【００２８】
その後、複合装置１は、本体に対する入力の有無を監視し（ｓ１７）、本体に対する入力があると、この入力が、接続端子１１ａに出力する信号の変更にかかる入力であるかどうかを判定する（ｓ１８）、複合装置１は、ｓ１８で、接続端子１１ａに出力する信号の変更にかかる入力であると判定すると、ｓ１５に戻って、上記処理を繰り返す。また、複合装置１は、ｓ１８で、接続端子１１ａに出力する信号の変更にかかる入力でないと判定すると、現在選択されている処理部から、別の処理部への変更にかかる入力であるかどうかを判定する（ｓ１９）。複合装置１は、ｓ１９で処理部の変更にかかる入力であると判定すると、ｓ１１に戻り、上述した処理を繰り返す。一方、ｓ１９で処理部の変更にかかる入力でないと判定すると、今回の入力に応じた処理（その他の処理）を実行する（ｓ２０）。ｓ２０で実行する処理は、ｓ５と同様に、例えばボリュームのアップダウンや、チャンネルの切り換えにかかる処理である。
【００２９】
上述した図３に示す処理は、本体の電源がオフされた場合や、外部接続端子１１が出力端子として使用する選択がなされた場合等に終了する。
【００３０】
このように、この実施形態の複合装置によれば、その時々に応じて変化するユーザの使用形態に対応することができる。すなわち、ユーザにおける多様な使用方法に十分に対応することができ、ユーザの使い勝手の向上が図れる。
【００３１】
なお、外部接続端子１１を、入力端子として使用する場合には、外部出力信号処理部１０に対する電力供給を停止し、反対に出力端子として使用する場合には、外部入力信号処理部９に対する電力供給を停止するようにしてもよい。このようにすれば、装置本体の消費電力を低減することもできる。
【図面の簡単な説明】
【００３２】
【図１】この発明の実施形態である複合装置の主要部の構成を示す図である。
【図２】外部接続端子を入力端子として使用する選択がなされている場合の動作を示すフローチャートである。
【図３】外部接続端子を出力端子として使用する選択がなされている場合の動作を示すフローチャートである。
【符号の説明】
【００３３】
１−複合装置
２−制御部
３−チューナ
４−ＤＶＤ処理部
５−表示部
６−映像信号処理部
７−スピーカ
８−音声信号処理部
９−外部入力信号処理部
１０−外部出力信号処理部
１１−外部接続端子
１２−切換部
１３−操作部
【図１】
2007288678.tif 000003
【図２】
2007288678.tif 000004
【図３】
2007288678.tif 000005